(57)【要約】【課題】本発明は、複数の周波数帯域を使用して受信した同一の受信信号を、それぞれの受信信号の受信状態に基づいて合成又は選択することで周波数選択制フェージングの影響を低減させた無線通信装置を提供することを目的とする。【解決手段】データ送信装置１より、２つの周波数帯域を使用して同一のシリアルデータｄｓより成るデータ信号Ｓ１，Ｓ２を送信するとともに、データ受信装置２において、このデータ信号Ｓ１，Ｓ２を受信する。そして、サブキャリア選択変調回路２６で、このデータ信号Ｓ１，Ｓ２より得られるパラレルデータｄｐ１，ｄｐ２に対して、サブキャリア毎にデータの選択又は合成を行った後、復調することでシリアルデータｄｓｘをＭＡＣ部５０に出力する。【選択図】      図１
2004320342.tif 000002
【特許請求の範囲】
【請求項１】
複数の搬送周波数帯域毎に同一のデータより成るデータ信号を生成する変調回路と、
前記変調回路より送出される前記複数のデータ信号それぞれを前記複数の搬送周波数帯域を使用して送信する複数のアンテナと、
を備えることを特徴とする無線通信装置。
【請求項２】
前記変調回路が、
前記データを所定の変調方式で変調してベースバンド信号を生成する変調部と、
当該変調部で生成された前記ベースバンド信号をそれぞれの前記搬送周波数帯域のデータ信号に周波数変換する複数の周波数変換部と、
を備えることを特徴とする請求項１に記載の無線通信装置。
【請求項３】
前記変調部で使用する前記所定の変調方式がＯＦＤＭ方式であることを特徴とする請求項２に記載の無線通信装置。
【請求項４】
複数の搬送周波数帯域を使用して送信されるデータ信号を受信する複数のアンテナと、
前記複数のアンテナそれぞれで受信された前記データ信号を同一の周波数のベースバンド信号に変換する複数の周波数変換回路と、
前記複数の周波数変換回路それぞれで得られた前記複数のベースバンド信号より、前記複数のデータ信号それぞれの前記搬送周波数帯域の受信状況を確認して、最も受信状況の良い搬送周波数帯域のデータ信号より得られたベースバンド信号を選択するとともに、当該ベースバンド信号を復調する復調回路と、
を備え、
前記複数の搬送周波数帯域それぞれによって送信される前記データ信号に含まれるデータが同一であることを特徴とする無線通信装置。
【請求項５】
複数の搬送周波数帯域を使用して送信されるデータ信号を受信する複数のアンテナと、
前記複数のアンテナそれぞれで受信された前記データ信号を同一の周波数のベースバンド信号に変換する複数の周波数変換回路と、
前記複数の周波数変換回路それぞれで得られた前記複数のベースバンド信号を合成して１つのベースバンド信号を生成するとともに、当該ベースバンド信号を復調する復調回路と、
を備え、
前記複数の搬送周波数帯域それぞれによって送信される前記データ信号に含まれるデータが同一であることを特徴とする無線通信装置。
【請求項６】
１つの搬送波周波数帯域のみで前記データ信号が送信されているとき、前記復調回路において、前記ベースバンドの選択又は合成を行うことなく復調することを特徴とする請求項４又は請求項５に記載の無線通信装置。
【請求項７】
ｎ（ｎは、２以上の整数）帯域の搬送周波数帯域を使用して送信されるＯＦＤＭ変調方式で変調されたデータ信号を受信するｎ個のアンテナと、
前記ｎ個のアンテナそれぞれで受信された前記データ信号を同一の周波数のベースバンド信号に変換するｎ個の周波数変換回路と、
前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、
前記ｎ個のフーリエ変換回路それぞれから入力される前記パラレルデータより、前記各搬送波周波数帯域における前記ｍ個のサブキャリアそれぞれの受信状況に対して前記パラレルデータのデータ補償を行うｎ個のデータ補償回路と、
前記ｎ個のデータ補償回路でデータ補償が施された前記ｎ個のパラレルデータが入力されるとともに、前記ｍ個のサブキャリア毎に、受信状況が最良となる前記搬送周波数帯域を確認し、確認した当該搬送周波数帯域の前記データを選択することで、ｍ個のデータより成るパラレルデータを新たに生成するデータ選択回路と、
前記データ選択回路で新たに生成された前記パラレルデータをシリアルデータに変換する復調回路と、
を備え、
前記複数の搬送周波数帯域それぞれによって送信される前記データ信号に含まれる前記パラレルデータが同一のデータより成ることを特徴とする無線通信装置。
【請求項８】
ｎ（ｎは、２以上の整数）帯域の搬送周波数帯域を使用して送信されるＯＦＤＭ変調方式で変調されたデータ信号を受信するｎ個のアンテナと、
前記ｎ個のアンテナそれぞれで受信された前記データ信号を同一の周波数のベースバンド信号に変換するｎ個の周波数変換回路と、
前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、
前記ｎ個のフーリエ変換回路それぞれから入力される前記パラレルデータより、前記各搬送波周波数帯域における前記ｍ個のサブキャリアそれぞれの受信状況に対して前記パラレルデータのデータ補償を行うｎ個のデータ補償回路と、
前記ｎ個のデータ補償回路でデータ補償が施された前記ｎ個のパラレルデータが入力されるとともに、前記ｍ個のサブキャリア毎に前記データを合成することで、ｍ個のデータより成るパラレルデータを新たに生成するデータ合成回路と、
前記データ合成回路で新たに生成された前記パラレルデータをシリアルデータに変換する復調回路と、
を備え、
前記複数の搬送周波数帯域それぞれによって送信される前記データ信号に含まれる前記パラレルデータが同一のデータより成ることを特徴とする無線通信装置。
【請求項９】
前記復調回路が、前記ｎ個のデータ補償回路でデータ補償が施された前記パラレルデータと前記データ選択回路又は前記データ合成回路で新たに生成された前記パラレルデータとを含むｎ＋１個のパラレルデータから１つを選択して復調することを特徴とする請求項７又は請求項８に記載の無線通信装置。
【請求項１０】
前記ｎ個のデータ補償回路それぞれでデータ補償が施された前記パラレルデータより前記ｎ帯域の搬送周波数帯域の受信状態を確認して、使用されていない前記搬送周波数帯域を認識するキャリア検出部と、
前記ｎ個のデータ補償回路のうち、当該キャリア検出部で認識された使用されていない前記搬送周波数帯域のデータ信号に対するパラレルデータのデータ補償を行うデータ補償回路を停止させるとともに、更に使用されている前記搬送周波数帯域が１帯域であることを認識したとき、前記データ選択回路又は前記データ合成回路を停止させるＯＮ／ＯＦＦ制御回路と、を備えることを特徴とする請求項９に記載の無線通信装置。
【請求項１１】
ｎ（ｎは、２以上の整数）帯域の搬送周波数帯域を使用して送信されるＯＦＤＭ変調方式で変調されたデータ信号を受信するｎ個のアンテナと、
前記ｎ個のアンテナそれぞれで受信された前記データ信号を同一の周波数のベースバンド信号に変換するｎ個の周波数変換回路と、
前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、
前記ｎ個のフーリエ変換回路部で得られた前記ｎ個のパラレルデータが入力されるとともに、前記ｍ個のサブキャリア毎に、受信状況が最良となる前記搬送周波数帯域を確認し、確認した当該搬送周波数帯域の前記データを選択することで、ｍ個のデータより成るパラレルデータを新たに生成するデータ選択回路と、
前記データ選択回路で新たに生成された前記パラレルデータより、選択された前記各搬送波周波数帯域における前記ｍ個のサブキャリアそれぞれの受信状況に対して前記パラレルデータのデータ補償を行うデータ補償回路と、
前記データ補償回路でデータ補償が施された前記パラレルデータをシリアルデータに変換する復調回路と、
を備え、
前記複数の搬送周波数帯域それぞれによって送信される前記データ信号に含まれる前記パラレルデータが同一のデータより成ることを特徴とする無線通信装置。
【請求項１２】
請求項１又は請求項２に記載の無線通信装置をデータ送信装置とするとともに、請求項４〜請求項６のいずれかに記載の無線通信装置をデータ受信装置として、前記複数の搬送周波数帯域を使用して同一のデータより成る複数のデータ信号を送受信することを特徴とする無線通信システム。
【請求項１３】
請求項３に記載の無線通信装置をデータ送信装置とするとともに、請求項７〜請求項１１のいずれかに記載の無線通信装置をデータ受信装置として、前記複数の搬送周波数帯域を使用して同一のデータより成る複数のデータ信号を送受信することを特徴とする無線通信システム。
【発明の詳細な説明】
【０００１】
【発明の属する技術分野】
本発明は、無線通信を行う無線通信装置及び無線通信システムに関するものであって、特に、無線ＡＶストリーム伝送や無線データ伝送を行うＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式などのマルチキャリア伝送方式を用いた無線通信装置及び無線通信システムに関する。
【０００２】
【従来の技術】
近年、無線データ伝送や無線ＡＶストリーム伝送として、２．４ＧＨｚ帯を使うＩＥＥＥ８０２．１１ｂ、５．２ＧＨｚ帯を使うＩＥＥＥ８０２．１１ａが主に普及されつつある。そして、２．４ＧＨｚ帯は、５．２ＧＨｚ帯と比べて直進性が弱いため、遮蔽物の後ろへ回り込むことができ、且つ、無線伝搬距離が長くなる長所がある。しかしながら、この２．４ＧＨｚの周波数帯域は、比較的自由に活用できる帯域であり、Ｂｌｕｅｔｏｏｔｈなどの他の通信方式や電子レンジの放つ周波数もこの帯域を使用するため、これらの他の電波と干渉して実行スループットを低下させてしまう。
【０００３】
よって、無線ＬＡＮ（Ｌｏｃａｌ  Ａｒｅａ  Ｎｅｔｗｏｒｋ）として、ファイル転送などのデータ伝送にＩＥＥＥ８０２．１１ｂが使用されるとき、所定の時間内に、所定のデータ量を伝送しないといけないというＱｏＳ（Ｑｕａｌｉｔｙ  ｏｆ  Ｓｅｒｖｉｃｅ）保証が必ずしも必要でないため、他からの電波干渉などが問題となっていない。しかしながら、高品位の映像や音声の無線通信を行う場合においては、このＱｏＳ保証が要求されることとなるため、電波干渉による実行スループットの低下が問題となる。
【０００４】
それに対して、５．２ＧＨｚ帯を使うＩＥＥＥ８０２．１１ａは、ＯＦＤＭ方式を採用しており、複数のサブキャリアを広帯域において使うことにより高い物理伝送レート、及び、高い実効スループットを実現し、ＱｏＳ保証のための高い伝送状態を生成している。しかしながら、５．２ＧＨｚ帯を使用する電波は直進性が強いため、遮蔽物の陰へ回り込みにくく、２．４Ｇｈｚ帯を使用する電波と比較して無線伝搬距離が短くなる。よって、広帯域の無線伝送を行うにあたって、屋内外伝送環境に起因したマルチパスによる周波数選択性フェージングが生じた場合、特定のサブキャリアだけ受信状態が悪くなり、そのサブキャリアで伝送するデータが欠落することがある。
【０００５】
このようなサブキャリアごとのデータの欠落を防ぐために、従来技術として、複数のアンテナを使用して受信し、サブキャリア毎に、複数のアンテナそれぞれで受信した信号を補正した後に合成するダイバーシティ受信機、又は、サブキャリア毎に、複数のアンテナそれぞれで得られる信号の受信電力等を比較し、受信状態が良好な信号を選択して復調するダイバーシティ受信機が提案されている（特許文献１参照）。又、従来技術として、複数のアンテナを使用して、それぞれのアンテナで受信した信号に対して、サブキャリア毎にキャリアレベルを確認し、受信状態が良好であるアンテナを選択するダイバーシティ受信機が提案されている（特許文献２参照）。
【０００６】
よって、例えば、ＩＥＥＥ８０２．１１ａの場合のように使用周波数帯域が５．２ＧＨｚ帯であるとき、この特許文献１又は特許文献２で提案されるダイバーシティ受信機を使用することで、複数のアンテナでＯＦＤＭ信号を受信することができる。そして、複数のアンテナで受信したＯＦＤＭ信号それぞれに発生する周波数選択性フェージングの特性における差異を利用して、サブキャリアの劣化を防ごうとしている。
【０００７】
【特許文献１】
特開２０００−３６８０１号公報
【特許文献２】
特開２０００−１７４７２６号公報
【０００８】
【発明が解決しようとする課題】
しかしながら、上述の特許文献１及び特許文献２で提案されているダイバーシティ受信装置が使用する周波数帯域は１つであるため、複数のアンテナが空間的に近接した配置になると、複数のアンテナそれぞれで受信した信号に対して、周波数選択性フェージング特性が同様のものとなることがある。このとき、それぞれのアンテナで受信したＯＦＤＭ信号より得られる同一周波数のサブキャリアが同様に劣化するため、そのサブキャリアでの補正、合成結果、又は、比較、選択結果が、他のサブキャリアのに比べて精度に欠けることとなる。
【０００９】
特に、５．２ＧＨｚ帯のＯＦＤＭ信号を受信する場合では、複数のアンテナが空間的に近接した配置とされた場合、それぞれのアンテナに対して同じように電波が回り込まなかったり、その周波数帯の電波の特性上、空間伝搬路での伝搬損失のため到達できなかったりすることが原因で、全てのアンテナの受信状態が悪化してしまうことがある。
【００１０】
このような問題を鑑みて、本発明は、複数の周波数帯域を使用して受信した同一の受信信号を、それぞれの受信信号の受信状態に基づいて合成又は選択することで周波数選択制フェージングの影響を低減させた無線通信装置を提供することを目的とする。又、本発明は、このような無線通信装置によって構成される無線通信システムを提供することを別の目的とする。
【００１１】
【課題を解決するための手段】
上記目的を達成するために、本発明の無線通信装置は、複数の搬送周波数帯域毎に同一のデータより成るデータ信号を生成する変調回路と、前記変調回路より送出される前記複数のデータ信号それぞれを前記複数の搬送周波数帯域を使用して送信する複数のアンテナと、を備えることを特徴とする。
【００１２】
このような構成の無線通信装置において、前記変調回路が、前記データを所定の変調方式で変調してベースバンド信号を生成する変調部と、当該変調部で生成された前記ベースバンド信号をそれぞれの前記搬送周波数帯域のデータ信号に周波数変換する複数の周波数変換部と、を備える。このとき、前記同一データを前記所定の変調方式で変調されて得た同一のベースバンド信号を、複数の前記搬送周波数帯域に応じて周波数変換することで、複数の前記データ信号を生成して送信する。
【００１３】
又、本発明の無線通信装置は、前記変調部で使用する前記所定の変調方式がＯＦＤＭ方式である。即ち、前記変調部が、シリアルデータを時分割してパラレルデータを生成するインターリーブ回路と、該インターリーブ回路からのパラレルデータをサブキャリア毎にマッピングを施して変調するマッピング回路と、該マッピング回路で変調されたパラレルデータを逆フーリエ変換する逆フーリエ変換回路と、該逆フーリエ変換回路で逆フーリエ変換されたパラレルデータよりＩ信号及びＱ信号の２信号に変換する並直列変換回路と、該並直列変換回路からのＩ信号及びＱ信号を直交変調して前記ベースバンド信号を生成する直交変調回路と、を備える。
【００１４】
又、本発明の無線通信装置は、複数の搬送周波数帯域を使用して送信されるデータ信号を受信する複数のアンテナと、前記複数のアンテナそれぞれで受信された前記データ信号を同一の周波数のベースバンド信号に変換する複数の周波数変換回路と、前記複数の周波数変換回路それぞれで得られた前記複数のベースバンド信号より、前記複数のデータ信号それぞれの前記搬送周波数帯域の受信状況を確認して、最も受信状況の良い搬送周波数帯域のデータ信号より得られたベースバンド信号を選択するとともに、当該ベースバンド信号を復調する復調回路と、を備え、前記複数の搬送周波数帯域それぞれによって送信される前記データ信号に含まれるデータが同一であることを特徴とする。
【００１５】
このように構成することによって、上述の無線通信装置より複数の搬送周波数帯域が使用されて送信される同一データより成る前記データ信号を、複数のアンテナそれぞれによって受信するとともに、前記複数の周波数変換回路によって、同一の周波数のベースバンド信号に変換することができる。そして、前記搬送周波数帯域のうち、良好な搬送周波数が使用されて送信された前記データ信号より得られる前記ベースバンド信号が、前記復調回路で選択された後に復調される。
【００１６】
又、本発明の無線通信装置は、複数の搬送周波数帯域を使用して送信されるデータ信号を受信する複数のアンテナと、前記複数のアンテナそれぞれで受信された前記データ信号を同一の周波数のベースバンド信号に変換する複数の周波数変換回路と、前記複数の周波数変換回路それぞれで得られた前記複数のベースバンド信号を合成して１つのベースバンド信号を生成するとともに、当該ベースバンド信号を復調する復調回路と、を備え、前記複数の搬送周波数帯域それぞれによって送信される前記データ信号に含まれるデータが同一であることを特徴とする。
【００１７】
このように構成することによって、上述の無線通信装置より複数の搬送周波数帯域が使用されて送信される同一データより成る前記データ信号を、複数のアンテナそれぞれによって受信するとともに、前記複数の周波数変換回路によって、同一の周波数のベースバンド信号に変換することができる。そして、前記復調回路において、それぞれの前記ベースバンド信号を平均化するなどして合成することで、新たにベースバンド信号を生成した後、当該ベースバンド信号を復調する。
【００１８】
又、これらの無線通信装置において、１つの搬送波周波数帯域のみで前記データ信号が送信されているとき、前記復調回路において、前記ベースバンドの選択又は合成を行うことなく復調するようにしても構わない。このとき、１つの搬送波周波数帯域のみが使用されていることを検出するためのキャリア検出部を設ける。
【００１９】
又、本発明の無線通信装置は、ｎ（ｎは、２以上の整数）帯域の搬送周波数帯域を使用して送信されるＯＦＤＭ変調方式で変調されたデータ信号を受信するｎ個のアンテナと、前記ｎ個のアンテナそれぞれで受信された前記データ信号を同一の周波数のベースバンド信号に変換するｎ個の周波数変換回路と、前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、前記ｎ個のフーリエ変換回路それぞれから入力される前記パラレルデータより、前記各搬送波周波数帯域における前記ｍ個のサブキャリアそれぞれの受信状況に対して前記パラレルデータのデータ補償を行うｎ個のデータ補償回路と、前記ｎ個のデータ補償回路でデータ補償が施された前記ｎ個のパラレルデータが入力されるとともに、前記ｍ個のサブキャリアのチャネル毎に、受信状況が最良となる前記搬送周波数帯域を確認し、確認した当該搬送周波数帯域の前記データを選択することで、ｍ個のデータより成るパラレルデータを新たに生成するデータ選択回路と、前記データ選択回路で新たに生成された前記パラレルデータをシリアルデータに変換する復調回路と、を備え、前記複数の搬送周波数帯域それぞれによって送信される前記データ信号に含まれる前記パラレルデータが同一のデータより成ることを特徴とする。
【００２０】
このような無線通信装置によると、前記ｎ個のデータ補償回路それぞれにおいて、入力された前記パラレルデータに対して、前記ｍ個のサブキャリアに対応する前記ｍ個のデータそれぞれにデータ補償が施される。このとき、前記ｍ個のサブキャリアに対する前記ｍ個のデータそれぞれにおけるコンステレーション情報より正常受信時との位相差及び振幅の比を確認し、前記ｍ個のデータそれぞれに対して確認した当該位相差及び振幅の比に応じてデータ補償を施す。更に、前記データ選択回路において、前記各データ補償回路より出力されたｎ個のパラレルデータに対して、ｍ個のサブキャリア毎に、そのコンステレーション情報を確認し、受信状態が最良と確認されるデータを選択する。このようにｍ個のデータを選択することで新たにｍ個のデータより成るパラレルデータが生成されると、当該パラレルデータが前記復調回路に与えられ、デマッピング回路でデマッピングが施されて復調された後、デインターリーブ回路でデインターリーブが施されて前記シリアルデータに変換される。
【００２１】
又、本発明の無線通信装置は、ｎ（ｎは、２以上の整数）帯域の搬送周波数帯域を使用して送信されるＯＦＤＭ変調方式で変調されたデータ信号を受信するｎ個のアンテナと、前記ｎ個のアンテナそれぞれで受信された前記データ信号を同一の周波数のベースバンド信号に変換するｎ個の周波数変換回路と、前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、前記ｎ個のフーリエ変換回路それぞれから入力される前記パラレルデータより、前記各搬送波周波数帯域における前記ｍ個のサブキャリアそれぞれの受信状況に対して前記パラレルデータのデータ補償を行うｎ個のデータ補償回路と、前記ｎ個のデータ補償回路でデータ補償が施された前記ｎ個のパラレルデータが入力されるとともに、前記ｍ個のサブキャリアのチャネル毎に前記データを合成することで、ｍ個のデータより成るパラレルデータを新たに生成するデータ合成回路と、前記データ合成回路で新たに生成された前記パラレルデータをシリアルデータに変換する復調回路と、を備え、前記複数の搬送周波数帯域それぞれによって送信される前記データ信号に含まれる前記パラレルデータが同一のデータより成ることを特徴とする。
【００２２】
このような無線通信装置によると、前記ｎ個のデータ補償回路それぞれにおいて、入力された前記パラレルデータに対して、前記ｍ個のサブキャリアに対応する前記ｍ個のデータそれぞれにデータ補償が施される。このとき、前記ｍ個のサブキャリアに対する前記ｍ個のデータそれぞれにおけるコンステレーション情報より正常受信時との位相差及び振幅の比を確認し、前記ｍ個のデータそれぞれに対して確認した当該位相差及び振幅の比に応じてデータ補償を施す。更に、前記データ合成回路において、前記各データ補償回路より出力されたｎ個のパラレルデータが、ｍ個のサブキャリア毎に、そのデータが合成される。このとき、合成されるデータを、コンステレーション情報に基づく同相成分（Ｉ信号）と直交成分（Ｑ信号）による２次座標上における同一のサブキャリアに応じたｎ個のデータに対応するｎ個の点の重心位置となる点に対応するデータとするようにしても構わない。このようにｎ個のパラレルデータにおける同一サブキャリアのデータを合成することで新たにｍ個のデータより成るパラレルデータが生成されると、当該パラレルデータが前記復調回路に与えられ、デマッピング回路でデマッピングが施されて復調された後、デインターリーブ回路でデインターリーブが施されて前記シリアルデータに変換される。
【００２３】
又、上述の２つの無線通信装置において、前記復調回路が、前記ｎ個のデータ補償回路でデータ補償が施された前記パラレルデータと前記データ選択回路又は前記データ合成回路で新たに生成された前記パラレルデータとを含むｎ＋１個のパラレルデータから１つを選択して復調するようにしても構わない。更に、復調回路が、ｎ＋１個のデマッピング回路及びデインターリーブ回路とで構成されるようにしても構わないし、ｎ＋１個のデマッピング回路と１つのデインターリーブ回路とで構成されるようにしても構わないし、１つのデマッピング回路と１つのデインターリーブ回路とで構成されるようにしても構わない。
【００２４】
このとき、前記ｎ個のデータ補償回路それぞれでデータ補償が施された前記パラレルデータより前記ｎ帯域の搬送周波数帯域の受信状態を確認して、使用されていない前記搬送周波数帯域を認識するキャリア検出部と、前記ｎ個のデータ補償回路のうち、当該キャリア検出部で認識された使用されていない前記搬送周波数帯域のデータ信号に対するパラレルデータのデータ補償を行うデータ補償回路を停止させるとともに、更に使用されている前記搬送周波数帯域が１帯域であることを認識したとき、前記データ選択回路又は前記データ合成回路を停止させるＯＮ／ＯＦＦ制御回路と、を備えるようにしても構わない。
【００２５】
更に、復調回路が、ｎ＋１個のデマッピング回路及びデインターリーブ回路とで構成されるとき、使用する必要がないｎ個のデマッピング回路及びデインターリーブ回路を停止するようにしても構わないし、又、ｎ＋１個のデマッピング回路と１つのデインターリーブ回路とで構成されるとき、使用する必要がないｎ個のデマッピング回路を停止するようにしても構わない。
【００２６】
又、本発明の無線通信装置は、ｎ（ｎは、２以上の整数）帯域の搬送周波数帯域を使用して送信されるＯＦＤＭ変調方式で変調されたデータ信号を受信するｎ個のアンテナと、前記ｎ個のアンテナそれぞれで受信された前記データ信号を同一の周波数のベースバンド信号に変換するｎ個の周波数変換回路と、前記ｎ個の周波数変換回路それぞれで得られた前記複数のベースバンド信号より、ｍ（ｍは、２以上の整数）個のサブキャリア毎のデータによって構成されるパラレルデータを生成するｎ個のフーリエ変換回路と、前記ｎ個のフーリエ変換回路部で得られた前記ｎ個のパラレルデータが入力されるとともに、前記ｍ個のサブキャリアのチャネル毎に、受信状況が最良となる前記搬送周波数帯域を確認し、確認した当該搬送周波数帯域の前記データを選択することで、ｍ個のデータより成るパラレルデータを新たに生成するデータ選択回路と、前記データ選択回路で新たに生成された前記パラレルデータより、選択された前記各搬送波周波数帯域における前記ｍ個のサブキャリアそれぞれの受信状況に対して前記パラレルデータのデータ補償を行うデータ補償回路と、前記データ補償回路でデータ補償が施された前記パラレルデータをシリアルデータに変換する復調回路と、を備え、前記複数の搬送周波数帯域それぞれによって送信される前記データ信号に含まれる前記パラレルデータが同一のデータより成ることを特徴とする。
【００２７】
このような無線通信装置によると、前記データ選択回路において、前記各フーリエ変換回路より出力されたｎ個のパラレルデータに対して、ｍ個のサブキャリア毎に、そのコンステレーション情報を確認し、受信状態が最良と確認されるデータを選択する。このようにｍ個のデータを選択することで新たにｍ個のデータより成るパラレルデータが生成されると、前記データ補償回路において、入力された前記パラレルデータに対して、前記ｍ個のサブキャリアに対応する前記ｍ個のデータそれぞれにデータ補償が施される。このとき、前記ｍ個のサブキャリアに対する前記ｍ個のデータそれぞれにおけるコンステレーション情報より正常受信時との位相差及び振幅の比を確認し、前記ｍ個のデータそれぞれに対して確認した当該位相差及び振幅の比に応じてデータ補償を施す。そして、当該パラレルデータが前記復調回路に与えられ、デマッピング回路でデマッピングが施されて復調された後、デインターリーブ回路でデインターリーブが施されて前記シリアルデータに変換される。
【００２８】
更に、上述の各無線通信装置は、備えた複数のアンテナが、受信状態が良好であると判断されるアンテナに切り換えることが可能なダイバーシティ方式のアンテナであっても構わない。
【００２９】
又、本発明の無線通信システムは、複数の搬送周波数帯域を用いて同一のデータより成る複数のデータ信号を送信するデータ送信装置となる無線通信装置と、当該複数の搬送周波数帯域を用いて送信される前記複数のデータ信号を前記搬送周波数帯域毎に受信して前記データ信号に含まれるデータを得るデータ受信装置となる無線通信装置とによって構成されるもので、上述の各無線通信装置によって構成される。
【００３０】
【発明の実施の形態】
＜基本構成＞
本発明の基本構成について、以下に図面を参照して説明する。図１は、本発明の無線通信システムの構成を示すブロック図である。図１の無線通信システムにおいて、入力されたデータをＯＦＤＭ方式に従って変調して送信するデータ送信装置１と、データ送信装置１から送信されたデータ信号を受信してＯＦＤＭ方式に従って復調して得たデータを出力するデータ受信装置２とが備えられる。そして、このデータ送信装置１及びデータ受信装置２で構築される無線通信システムの使用周波数帯域が２．４ＧＨｚ帯と５．２ＧＨｚ帯の２帯域であり、同一のデータ信号が２．４ＧＨｚ帯と５．２ＧＨｚ帯両方の周波数帯域が使用されて送信される。
【００３１】
このような無線通信システムにおいて、データ送信装置１は、入力されたシリアルデータをサブキャリアの数と等しいデータに分割してパラレルデータを生成するインターリーブ回路１０と、ＱＡＭ（Ｑｕａｄｒａｔｉｃ  Ａｍｐｌｉｔｕｄｅ  Ｍｏｄｕｌａｔｉｏｎ）方式やＱＰＳＫ（Ｑｕａｄｒｕｐｌｅ  Ｐｈａｓｅ  Ｓｈｉｆｔ  Ｋｅｙｉｎｇ）方式などに応じたマッピングを行うマッピング回路１１と、マッピング回路１１で生成されたパラレルデータを逆フーリエ変換する逆フーリエ変換回路１２と、逆フーリエ変換回路１２で逆フーリエ変換されたパラレルデータを合成して直交するＩ信号及びＱ信号の２信号を生成する並直列変換回路１３と、並直列変換回路１３からのＩ信号及びＱ信号を直交変調してベースバンド信号を生成する直交変調回路１４と、直交変調回路１４からのベースバンド信号を周波数変換して２．４ＧＨｚ帯の高周波信号に変換するＲＦ回路１５ａと、直交高調回路１４からのベースバンド信号を周波数変換して５．２ＧＨｚ帯の高周波信号に変換するＲＦ回路１５ｂと、ＲＦ回路１５ａ，１５ｂそれぞれからの高周波信号を送信するアンテナ１６ａ，１６ｂとを備える。
【００３２】
又、データ受信装置２は、２．４ＧＨｚ帯及び５．２ＧＨｚ帯それぞれの高周波信号を受信するアンテナ２１ａ，２１ｂと、アンテナ２１ａ，２１ｂそれぞれで受信した高周波信号を周波数変換してベースバンド信号に変換するＲＦ回路２２ａ，２２ｂと、ＲＦ回路２２ａ，２２ｂそれぞれからのベースバンド信号を位相が９０°異なる２つの局部発振信号によって直交検波してＩ信号及びＱ信号を得る直交検波回路２３ａ，２３ｂと、直交検波回路２３ａ，２３ｂからのＩ信号及びＱ信号よりパラレルデータを生成する直並列変換回路２４ａ，２４ｂと、直並列変換回路２４ａ，２４ｂで得られたパラレルデータを高速フーリエ変換するフーリエ変換回路２５ａ，２５ｂと、フーリエ変換回路２５ａ，２５ｂそれぞれでフーリエ変換されたパラレルデータが入力されるとともにサブキャリア毎に状態の良いデータを選択するとともに選択されたパラレルデータよりシリアルデータを生成するサブキャリア選択復調回路２６と、サブキャリア選択復調回路２６からのシリアルデータよりＭＡＣ（Ｍｅｄｉａ  Ａｃｃｅｓｓ  Ｃｏｎｔｒｏｌ）フレームを確認し同期管理などを行うＭＡＣ部５０とを備える。
【００３３】
このようにデータ送信装置１及びデータ受信装置２が構成されるとき、まず、データ送信装置１において、インターリーブ回路１０が、時間的に連続したデータが隣接したサブキャリアのデータとならないように、シリアルデータｄｓをサブキャリアの数と等しいデータに分割して、パラレルデータｄｐを生成する。そして、マッピング回路１１でパラレルデータｄｐの各サブキャリアのデータそれぞれに対してＱＡＭ方式やＱＰＳＫ方式などに従って変調を施す。その後、マッピング回路１１で変調されたパラレルデータｄｐに対して、逆フーリエ変換回路１２で逆フーリエ変換が施される。そして、このパラレルデータｄｐが並直列変換回路１３に与えられて、Ｉ信号ｓｉ及びＱ信号ｓｑの２信号に変換された後に直交変調回路１４で直交変調が施されて１信号となるベースバンド信号ｂに変換される。
【００３４】
このベースバンド信号ｂはＲＦ回路１５ａ，１５ｂそれぞれに与えられるため、同一のデータによる高周波信号Ｓ１，Ｓ２が２信号生成されて、２．４ＧＨｚ帯及び５．２ＧＨｚ帯それぞれの搬送周波数帯域を用いてアンテナ１６ａ，１６ｂより送信される。このようにして、２．４ＧＨｚ帯の搬送周波数帯域及び５．２ＧＨｚ帯の搬送周波数帯域それぞれに、同一のシリアルデータｄｓより生成される２つの高周波信号Ｓ１，Ｓ２が送信される。
【００３５】
そして、データ受信装置２において、２．４ＧＨｚ帯の搬送周波数帯域に送信された高周波信号Ｓ１がアンテナ２１ａで受信されるとともに、５．２ＧＨｚ帯の搬送周波数帯域に送信された高周波信号Ｓ２がアンテナ２１ｂで受信される。アンテナ２１ａで受信された高周波信号Ｓ１は、ＲＦ回路２２ａでベースバンド信号ｂ１に変換された後に直交検波回路２３ａでＩ信号ｓｉ１及びＱ信号ｓｑ１に変換される。そして、高周波信号Ｓ１によるＩ信号ｓｉ１及びＱ信号ｓｑ１が直並列変換回路２４ａに送出されると、サブキャリア毎のデータとなるパラレルデータｄｐ１に変換されるとともに、このパラレルデータｄｐ１がフーリエ変換回路２５ａにおいてフーリエ変換される。
【００３６】
又、アンテナ２１ｂで受信された高周波信号Ｓ２は、ＲＦ回路２２ｂでＲＦ回路２２ａのベースバンド信号ｂ１と同一周波数のベースバンド信号ｂ２に変換された後に直交検波回路２３ｂでＩ信号ｓｉ２及びＱ信号ｓｑ２に変換される。そして、高周波信号Ｓ２によるＩ信号ｓｉ２及びＱ信号ｓｑ２が直並列変換回路２４ｂに送出されると、サブキャリア毎のデータとなるパラレルデータｄｐ２に変換されるとともに、このパラレルデータｄｐ２がフーリエ変換回路２５ｂにおいてフーリエ変換される。
【００３７】
そして、フーリエ変換回路２５ａ，２５ｂそれぞれでフーリエ変換されたパラレルデータｄｐ１，ｄｐ２がサブキャリア選択復調回路２６に送出される。サブキャリア選択復調回路２６では、同一のシリアルデータｄｓより生成された高周波信号Ｓ１，Ｓ２を受信することで得られたパラレルデータｄｐ１，ｄｐ２に対して、まず、各サブキャリア毎の受信状態より伝送伝搬路に対する補償を施すとともに、パラレルデータｄｐ１，ｄｐ２のサブキャリア毎に、選択又は合成を行う。
【００３８】
即ち、受信状態の良好なデータが選択されるとき、例えば、周波数ｆｘのサブキャリアにおいてパラレルデータｄｐ１の受信状態が良好であるとともに周波数ｆｙのサブキャリアにおいてパラレルデータｄｐ２の受信状態が良好である場合は、周波数ｆｘのサブキャリアのデータはパラレルデータｄｐ１のデータが用いられ、又、周波数ｆｙのサブキャリアのデータはパラレルデータｄｐ２のデータが用いられる。合成については、各サブキャリア毎に２つのデータの値に基づいて合成が成される。そして、各サブキャリア毎に選択又は合成されて得られたパラレルデータｄｐｘが誤りの少ないシリアルデータｄｓｘに変換されてＭＡＣ部５０に出力される。
【００３９】
以下の各実施形態は、図１に示す基本構成となる無線通信システムによるものであり、データ送信装置１については、各実施形態において、同一の構成のものが使用される。よって、以下の各実施形態では、その構成が異なるサブキャリア選択復調回路２６を中心に、データ受信装置２について説明する。
【００４０】
＜第１の実施形態＞
本発明の第１の実施形態について、以下に図面を参照して説明する。図２は、本実施形態の無線通信システムで使用されるデータ受信装置の内部構成を示すブロック図である。
【００４１】
図２のデータ受信装置２ａ（図１のデータ受信装置２に相当する）において、サブキャリア選択復調回路２６ａ（図１のサブキャリア選択復調回路２６に相当する）が、フーリエ変換回路２５ａ，２５ｂそれぞれから与えられるパラレルデータｄｐ１，ｄｐ２に対してサブキャリア毎にその周波数チャネル（サブキャリアチャネル）の伝搬路から受ける影響を予測するとともにサブキャリアチャネルの伝搬路の影響を補償するための影響補償情報を生成するチャネル推定回路２７ａ，２７ｂと、フーリエ変換回路２５ａ，２５ｂそれぞれから与えられるパラレルデータｄｐ１，ｄｐ２に対してサブキャリア毎にチャネル推定回路２７ａ，２７ｂからの影響補償情報に基づいてサブキャリアチャネルの伝搬路で受けた影響を補償するチャネル補償回路２８ａ，２８ｂと、チャネル補償回路２８ａ，２８ｂそれぞれで各サブキャリアが補償されたパラレルデータｄｐ１，ｄｐ２をサブキャリア毎に比較して良好な受信状態で受信されているサブキャリアを選択して新たにパラレルデータｄｐｘを生成するデータ選択回路２９と、データ選択回路２９で選択されたパラレルデータｄｐｘに対してサブキャリア毎にＱＡＭ方式又はＱＰＳＫ方式などに従ってデマッピングを施すデマッピング回路３０と、デマッピング回路３０で復調されたパラレルデータｄｐｘよりシリアルデータｄｓｘを生成するデインターリーブ回路３１と、を備える。
【００４２】
このような構成のデータ受信装置２ａの動作について、以下に説明する。上述の基本構成で説明したように、データ受信装置２ａは、２．４ＧＨｚ帯の搬送周波数帯域を使用して送信される高周波信号Ｓ１をアンテナ２１ａで受信し、５．２ＧＨｚ帯の搬送周波数帯域を使用して送信される高周波信号Ｓ２をアンテナ２１ｂで受信する。その後、アンテナ２１ａで受信した高周波信号Ｓ１が、ＲＦ回路２２ａ及び直交検波回路２３ａ及び直並列変換回路２４ａ及びフーリエ変換回路２５ａによって、パラレルデータｄｐ１に変換されてサブキャリア選択復調回路２６ａに与えられる。又、アンテナ２１ｂで受信した高周波信号Ｓ２が、ＲＦ回路２２ｂ及び直交検波回路２３ｂ及び直並列変換回路２４ｂ及びフーリエ変換回路２５ｂによって、パラレルデータｄｐ２に変換されてサブキャリア選択復調回路２６ａに与えられる。
【００４３】
サブキャリア選択復調回路２６ａでは、チャネル推定回路２７ａ及びチャネル補償回路２８ａにフーリエ変換回路２５ａからのパラレルデータｄｐ１が与えられ、又、チャネル推定回路２７ｂ及びチャネル補償回路２８ｂにフーリエ変換回路２５ｂからのパラレルデータｄｐ２が与えられる。そして、チャネル推定回路２７ａでは、パラレルデータｄｐ１におけるサブキャリア毎のデータを確認することで、２．４ＧＨｚ帯における各サブキャリアチャネルの伝送状態を確認し、チャネル推定回路２７ｂでは、パラレルデータｄｐ２におけるサブキャリア毎のデータを確認することで、５．２ＧＨｚ帯における各サブキャリアチャネルの伝送状態を確認する。
【００４４】
このとき、サブキャリアチャネルが４８チャネルあるものとし、パラレルデータｄｐ１，ｄｐ２それぞれが、各サブキャリアチャネルのデータとして、データｐ１−１〜ｄｐ１−４８，ｄｐ２−１〜ｄｐ２−４８を備えるものとする。又、サブキャリア以外に４チャネル分のパイロットキャリアを備えるものとし、パラレルデータｄｐ１，ｄｐ２それぞれに対して、パイロットキャリアデータｐ１−１〜ｐ１−４，ｐ２−１〜ｐ２−４が得られるものとする。
【００４５】
このようにパラレルデータｄｐ１，ｄｐ２が構成されるとき、チャネル推定回路２７ａでは、パラレルデータｄｐ１が入力されると、データｄｐ１−１〜ｄｐ１−４８それぞれに対して、そのサブキャリアチャネルの近いパイロットキャリアデータｐ１−１〜ｐ１−４を選択して比較する。即ち、データｄｐ−ｍ（１≦ｍ≦４８）に対して、そのサブキャリアチャネルの最も近いパイロットキャリアｐ１−ｘ（１≦ｘ≦４）を選択する。そして、データｄｐ−ｍとパイロットキャリアｐ１−ｘとを比較する。
【００４６】
このとき、各サブキャリアチャネルのデータｄｐ１−１〜ｄｐ１−４８それぞれのコンステレーション情報についても確認される。尚、このコンステレーション情報とは、サブキャリアに対するデータに対する各符号が割り当てられるサブキャリアが変調される位相及び振幅の値を示すもので、同相成分（Ｉ信号）と直交成分（Ｑ信号）による２次座標上の点として表される。即ち、各サブキャリアのデータが１６ＱＡＭ方式で変調されるとき、各サブキャリアチャンネルのコンステレーション情報は、正常に受信されると、図３（ａ）のようになる。
【００４７】
このように、各サブキャリアチャネルのデータｄｐ１−１〜ｄｐ１−４８それぞれに対して、コンステレーション情報が確認されるとともに近接したパイロットキャリアｐ１−ｘと比較されることで、２．４ＧＨｚ帯における各サブキャリアチャネルの受信状態が確認される。この確認された受信状態より、各サブキャリアの位相ずれや受信強度による振幅のずれを確認し、この位相及び振幅のずれを補償するための影響補償情報をデータｄｐ１−１〜ｄｐ１−４８それぞれに対して生成する。
【００４８】
即ち、例えば、データｄｐ−ｍのサブキャリアチャネルの受信状態を確認したときに、このデータｄｐ−ｍのコンステレーション情報が図３（ｂ）のように表されるものとなる場合、図３（ａ）のように正常に受信されたときと比べて、位相がθずれているとともに、振幅が正常に受信したときに振幅Ｂに対して１／Ｘ倍であることが確認される。よって、このデータｄｐ−ｍに対する影響補償情報が、データｄｐ−ｍに対して位相−θだけ回転させるとともに振幅をＸ倍することを表す情報となる。
【００４９】
又、チャネル推定回路２７ｂにおいても、チャネル推定回路２７ａと同様、パラレルデータｄｐ２が入力されると、データｄｐ２−１〜ｄｐ２−４８それぞれに対して、そのサブキャリアチャネルの近いパイロットキャリアデータｐ２−１〜ｐ２−４を選択して比較するとともに、データｄｐ２−１〜ｄｐ２−４８それぞれのコンステレーション情報を確認することで、５．２ＧＨｚ帯における各サブキャリアチャネルの受信状態を確認する。そして、各サブキャリアチャネルの受信状態を確認すると、それぞれの受信状態に基づいて、データｄｐ２−１〜ｄｐ２−４８それぞれに対する影響補償情報が生成される。
【００５０】
このように、チャネル推定回路２７ａ，２７ｂそれぞれにおいて影響補償情報が生成されると、チャネル補償回路２８ａ，２８ｂに与えられる。よって、チャネル補償回路２８ａでは、パラレルデータｄｐ１における各サブキャリアのデータｄｐ１−１〜ｄｐ１−４８それぞれに対して、各データｄｐ１−１〜ｄｐ１−４８に対してチャネル推定回路２７ａで生成された影響補償情報に基づくデータの補償を施す。即ち、図３（ｂ）のようなコンステレーション情報を与えるデータｄｐ１−ｍに対して位相−θだけ回転させるとともに振幅をＸ倍することで、図３（ａ）のように正常な受信状態におけるコンステレーション情報に近い値を与えるデータにデータ補償する。同様に、チャネル補償回路２８ｂにおいても、パラレルデータｄｐ２における各サブキャリアのデータｄｐ２−１〜ｄｐ２−４８それぞれに対して、各データｄｐ２−１〜ｄｐ２−４８に対してチャネル推定回路２７ｂで生成された影響補償情報に基づくデータの補償を施す。
【００５１】
このようにチャネル補償回路２８ａ，２８ｂで各サブキャリア毎にデータ補償されたパラレルデータｄｐ１，ｄｐ２がデータ選択回路２９に与えられると、パラレルデータｄｐ１，ｄｐ２それぞれの同一サブキャリアに対するコンステレーション情報が確認されて、正常な受信状態で得られるコンステレーション情報と比較される。そして、正常な受信状態で得られるコンステレーション情報に近いデータがそれぞれのサブキャリア毎に選択されて、新たなパラレルデータｄｐｘが生成される。
【００５２】
このとき、例えば、まず、パラレルデータｄｐ１のデータｄｐ１−ｍのコンステレーション情報と、パラレルデータｄｐ２のデータｄｐ２−ｍのコンステレーション情報とがそれぞれ確認されたとき、信号点配置を表す２次座標におけるそれぞれの位置が図４における点α，βとなるものとする。そして、正常に受信したときの信号点配置を表す２次座標における位置が点Ａの位置である場合、点Ａと点αの距離と、点Ａと点βの距離とが確認されて比較される。
【００５３】
このＡ−αの距離Ｌ１とＡ―βの距離Ｌ２の関係がＬ１＞Ｌ２であるとき、信号点配置を表す２次座標において、点Ａを表すコンステレーション情報に対して、点βを表すコンステレーション情報が点αを表すコンステレーション情報より近いことがわかる。よって、点βを表すコンステレーション情報を備えるパラレルデータｄｐ２のデータｄｐ２−ｍが、パラレルデータｄｐｘのデータｄｐｘ−ｍとして選択される。
【００５４】
又、同様に、パラレルデータｄｐ１のデータｄｐ１−ｎのコンステレーション情報と、パラレルデータｄｐ２のデータｄｐ２−ｎのコンステレーション情報とが確認されると、それぞれのコンステレーション情報と正常に受信したときのコンステレーション情報との相対関係が、信号点配置を表す２次座標により確認されて比較される。そして、信号点配置を表す２次座標において、パラレルデータｄｐ１のデータｄｐ１−ｎのコンステレーション情報と正常に受信したときのコンステレーション情報との相対関係の方が近いことが確認されると、パラレルデータｄｐ１のデータｄｐ１−ｎが、パラレルデータｄｐｘのデータｄｐｘ−ｎとして選択される。
【００５５】
このようにして、パラレルデータｄｐｘのデータｄｐｘ−１〜ｄｐｘ−４８はそれぞれ、パラレルデータｄｐ１のデータｄｐ１−１〜ｄｐ１−４８とパラレルデータｄｐ２のデータｄｐ２−１〜ｄｐ２−４８とから、そのコンステレーション情報が正常に受信したときのコンステレーション情報に近いものが選択される。即ち、パラレルデータｄｐｘにおける各サブキャリアのデータは、そのサブキャリアにおけるパラレルデータｄｐ１，ｄｐ２のデータから、コンステレーション情報が正常に受信したときのコンステレーション情報に近いものが選択される。よって、それぞれのサブキャリア毎にパラレルデータｄｐ１，ｄｐ２のいずれのデータが選択されるか異なる。
【００５６】
このように、各サブキャリア毎に正常に受信したときのコンステレーション情報に近いコンステレーション情報を備えたデータが選択されて生成されたパラレルデータｄｐｘが、デマッピング回路３０に送出される。そして、デマッピング回路３０では、パラレルデータｄｐｘのサブキャリア毎にＱＡＭ方式やＱＰＳＫ方式などに基づいて復調を行う。即ち、各サブキャリアが１６ＱＡＭ方式で変調されているとき、パラレルデータｄｐｘのデータｄｐｘ−１〜ｄｐｘ−４８それぞれに対して、図３（ａ）のような信号点配置を表す２次座標に基づき、その位相と振幅との関係よりデータ送信装置１で変調される前の４ｂｉｔの符号を確認し、この確認した４ｂｉｔの符号に復調する。
【００５７】
このようにしてデマッピングされたパラレルデータｄｐｘが、デインターリーブ回路３１に送出されると、各サブキャリアのデータが変化された符号が、各サブキャリアに割り当てられた順番に基づいて時間軸上で結合されることで、シリアルデータｄｓｘが生成される。即ち、上述のように４ｂｉｔの符号データとなったデータｄｐｘ−１〜ｄｐｘ−４８が、それぞれに割り当てられた順番にデインターリーブ回路３１より出力されることで、４×４８ｂｉｔの符号データとなるシリアルデータｄｓｘが生成される。
【００５８】
本実施形態のように、２つの周波数帯域から受信した２つの信号より得られたパラレルデータに対して、各サブキャリア毎に、そのコンステレーション情報を確認して、より正常な受信状態におけるコンステレーション情報に近いものを選択することによって、各サブキャリア毎に影響を与える周波数選択制フェージングの影響を低減することができる。
【００５９】
＜第２の実施形態＞
本発明の第２の実施形態について、以下に図面を参照して説明する。図５は、本実施形態の無線通信システムで使用されるデータ受信装置の内部構成を示すブロック図である。尚、図５のデータ受信装置において、図２のデータ受信装置と同一の目的で使用する部分については同一の符号を付して、その詳細な説明は省略する。
【００６０】
図５のデータ受信装置２ｂ（図１のデータ受信装置２に相当する）において、サブキャリア選択復調回路２６ｂ（図１のサブキャリア選択復調回路２６に相当する）は、サブキャリア選択復調回路２６ａ（図２）におけるデータ選択回路２９の代わりに、チャネル補償回路２８ａ，２８ｂそれぞれで各サブキャリアが補償されたパラレルデータｄｐ１，ｄｐ２をサブキャリア毎に合成することで新たにパラレルデータｄｐｘを生成するデータ合成回路２９ａを備える。その他の構成については、第１の実施形態のデータ送信装置２ａと同一のブロックを備える。
【００６１】
このようにデータ合成回路２９ａを備えたデータ受信装置２ｂは、第１の実施形態のデータ受信装置２ａと同様、２．４ＧＨｚ帯の高周波信号Ｓ１及び５．２ＧＨｚ帯の高周波信号Ｓ２をそれぞれアンテナ２１ａ，２１ｂで受信すると、ＲＦ回路２２ａ，２２ｂ及び直交検波回路２３ａ，２３ｂ及び直並列変換回路２４ａ，２４ｂ及びフーリエ変換回路２５ａ，２５ｂを介してパラレルデータｄｐ１，ｄｐ２に変換されてサブキャリア選択復調回路２６ｂに与えられる。
【００６２】
そして、選択復調回路２６ｂでは、パラレルデータｄｐ１がチャネル推定回路２７ａ及びチャネル補償回路２８ａに与えられ、このパラレルデータｄｐ１は、チャネル補償回路２８ａにおいて、チャネル推定回路２７ａで生成された各サブキャリアに対する影響補償情報に基づいて、各サブキャリア毎にデータ補償が施される。又、パラレルデータｄｐ２がチャネル推定回路２７ｂ及びチャネル補償回路２８ｂに与えられ、このパラレルデータｄｐ２は、チャネル補償回路２８ｂにおいて、チャネル推定回路２７ｂで生成された各サブキャリアに対する影響補償情報に基づいて、各サブキャリア毎にデータ補償が施される。
【００６３】
このようにチャネル補償回路２８ａ，２８ｂで各サブキャリア毎にデータ補償されたパラレルデータｄｐ１，ｄｐ２がデータ合成回路２９ａに与えられると、パラレルデータｄｐ１，ｄｐ２それぞれの同一サブキャリアに対するコンステレーション情報に基づいて、各サブキャリアのデータが合成される。このデータ合成回路２９ａに動作について、図６を参照して以下に説明する。図６は、パラレルデータｄｐ１のデータｄｐ１−ｍのコンステレーション情報、及び、パラレルデータｄｐ２のデータｄｐ２−ｍのコンステレーション情報それぞれより確認される、信号点配置を表す２次座標における座標位置を表す図である。
【００６４】
図４の場合と同様、図６においても、パラレルデータｄｐ１のデータｄｐ１−ｍのコンステレーション情報による信号点配置を表す２次座標における位置が点αであるとともに、パラレルデータｄｐ２のデータｄｐ２−ｍのコンステレーション情報による信号点配置を表す２次座標における位置が点βであるものとする。又、正常に受信したときの信号点配置を表す２次座標における位置が点Ａの位置である。
【００６５】
このとき、データ合成回路２９ａより、図６のように信号点配置を表す２次座標で確認された点αと点βの中点位置となる点γの座標位置に対応するコンステレーション情報を、データｄｐ１−ｍ，ｄｐ２−ｍのコンステレーション情報を合成することで求める。そして、データｄｐｘ−ｍのコンステレーション情報が点γの座標位置に対応するようにして、データｄｐｘ−ｍを生成する。即ち、データｄｐ１−ｍ，ｄｐ２−ｍのコンステレーション情報より得られるデータｄｐ１−ｍ，ｄｐ２−ｍに対するサブキャリアの位相及び振幅より確認された座標位置を用いて、これらの座標位置の中点となる座標位置を求め、この座標位置より確認されるサブキャリアの位相及び振幅を確認し、この位相及び振幅によるコンステレーション情報よりデータｄｐｘ−ｍを生成する。
【００６６】
このようにして、パラレルデータｄｐｘのデータｄｐｘ−１〜ｄｐｘ−４８はそれぞれ、パラレルデータｄｐ１のデータｄｐ１−１〜ｄｐ１−４８とパラレルデータｄｐ２のデータｄｐ２−１〜ｄｐ２−４８を合成することによって、信号点配置を表す２次座標において、パラレルデータｄｐ１のデータｄｐ１−１〜ｄｐ１−４８を表す位置及びパラレルデータｄｐ２のデータｄｐ２−１〜ｄｐ２−４８を表す位置の中点位置に相当するデータとなる。
【００６７】
よって、パラレルデータｄｐｘにおける各サブキャリアのデータは、そのサブキャリアにおけるパラレルデータｄｐ１，ｄｐ２のデータが合成されて生成される。そして、このように合成されて得たパラレルデータｄｐｘの各サブキャリアのコンステレーション情報が正常に受信したときのコンステレーション情報に近いものとなる。その後、このパラレルデータｄｐｘがデマッピング回路３０及びデインターリーブ回路３１を介してシリアルデータｄｓｘに変換されて出力される。
【００６８】
本実施形態のように、２つの周波数帯域から受信した２つの信号より得られたパラレルデータに対して、各サブキャリア毎に合成することによって、そのコンステレーション情報をより正常な受信状態におけるコンステレーション情報に近いものとすることができ、各サブキャリア毎に影響を与える周波数選択制フェージングの影響を低減することができる。
【００６９】
尚、本実施形態において、データ合成回路でパラレルデータの各サブキャリアのデータを生成する際、サブキャリア毎に、信号点配置を表す２次座標において、異なる周波数帯域で受信した２つの信号に対する２点の中点座標を確認し、この中点座標に対応したデータをそのサブキャリアのデータとするものとしたが、このような合成方法に限定されるものではない。このとき、例えば、信号点配置を表す２次座標において、異なる周波数帯域で受信した２つの信号に対する２点の座標位置と、正常に受信したときの座標位置との関係より、各点に重みを与えて加算して合成することで、データ合成回路でパラレルデータの各サブキャリアのデータを生成するものとしても構わない。
【００７０】
＜第３の実施形態＞
本発明の第３の実施形態について、以下に図面を参照して説明する。図７は、本実施形態の無線通信システムで使用されるデータ受信装置の内部構成を示すブロック図である。尚、図７のデータ受信装置において、図２のデータ受信装置と同一の目的で使用する部分については同一の符号を付して、その詳細な説明は省略する。
【００７１】
図７のデータ受信装置２ｃ（図１のデータ受信装置２に相当する）において、サブキャリア選択復調回路２６ｃ（図１のサブキャリア選択復調回路２６に相当する）は、フーリエ変換回路２５ａ，２５ｂからのパラレルデータｄｐ１，ｄｐ２がデータ選択回路２９に与えられる構成となるとともに、チャネル補償回路２８ａ，２８ｂの代わりに、データ選択回路２９から送出されるパラレルデータｄｐｘが与えられるチャネル補償回路２８を備える。その他の構成については、第１の実施形態のデータ送信装置２ａ（図２）と同一のブロックを備える。
【００７２】
このように構成されたデータ受信装置２ｃは、第１の実施形態のデータ受信装置２ａと同様にＲＦ回路２２ａ，２２ｂ及び直交検波回路２３ａ，２３ｂ及び直並列変換回路２４ａ，２４ｂ及びフーリエ変換回路２５ａ，２５ｂが動作を行うことで、アンテナ２１ａ，２１ｂで受信した高周波信号Ｓ１及び高周波信号Ｓ２がパラレルデータｄｐ１，ｄｐ２に変換されてサブキャリア選択復調回路２６ｃに与えられる。
【００７３】
そして、選択復調回路２６ｃでは、パラレルデータｄｐ１，ｄｐ２それぞれが与えられるチャネル推定回路２７ａ，２７ｂにおいて、第１の実施形態と同様にして、各サブキャリアに対する影響補償情報が生成される。又、データ選択回路２９では、フーリエ変換回路２５ａ，２５ｂより、第１の実施形態の選択復調回路２６ａと異なり、各サブチャネル毎にデータ補償が施されていないパラレルデータｄｐ１，ｄｐ２が入力される。そして、データ選択回路２９は第１の実施形態と同様と動作を行うため、各サブキャリア毎に正常に受信したときのコンステレーション情報に近いコンステレーション情報を備えたデータが選択されて、パラレルデータｄｐｘが生成される。
【００７４】
このように生成されたパラレルデータｄｐｘがチャネル補償回路２８に与えられると、チャネル補償回路２８では、このパラレルデータｄｐｘに対して、各サブキャリア毎にチャネル推定回路２７ａ，２７ｂからの影響補償情報を選択した後、この影響補償情報に基づいてデータ補償を施す。このとき、データ選択回路２９においてパラレルデータｄｐ１のデータが選択されたサブキャリアについては、チャネル推定回路２７ａからの影響補償情報に基づいてデータ補償が施され、又、データ選択回路２９においてパラレルデータｄｐ２のデータが選択されたサブキャリアについては、チャネル推定回路２７ｂからの影響補償情報に基づいてデータ補償が施される。
【００７５】
尚、このチャネル補償回路２８でのデータ補償動作については、第１の実施形態におけるチャネル補償回路２８ａ，２８ｂによるデータ補償動作と同様である。このようにして各サブキャリア毎にデータ補償が施されたパラレルデータｄｐｘが、デマッピング回路３０及びデインターリーブ回路３１を介してシリアルデータｄｓｘに変換されて出力される。
【００７６】
＜第４の実施形態＞
本発明の第４の実施形態について、以下に図面を参照して説明する。図８は、本実施形態の無線通信システムで使用されるデータ受信装置の内部構成を示すブロック図である。尚、図８のデータ受信装置において、図２のデータ受信装置と同一の目的で使用する部分については同一の符号を付して、その詳細な説明は省略する。
【００７７】
図８のデータ受信装置２ｄ（図１のデータ受信装置２に相当する）において、サブキャリア選択復調回路２６ｄ（図１のサブキャリア選択復調回路２６に相当する）は、サブキャリア選択復調回路２６ａ（図２）の構成に、チャネル補償回路２８ａ，２８ｂそれぞれで各サブキャリアが補償されたパラレルデータｄｐ１，ｄｐ２をデマッピングするデマッピング回路３０ａ，３０ｂと、デマッピング回路３０ａ，３０ｂで復調されたパラレルデータｄｐ１，ｄｐ２をデインターリーブするデインターリーブ回路３１ａ，３１ｂと、デインターリーブ回路３１，３１ａ，３１ｂそれぞれから出力されるシリアルデータｄｓｘ，ｄｓ１，ｄｓ２を選択してＭＡＣ部５０に出力する選択スイッチＳＷとが付加された構成となる。更に、このデータ受信装置２ｄは、選択スイッチＳＷの切り換えを指示する入力部５１を備える。その他の構成については、第１の実施形態のデータ送信装置２ａと同一のブロックを備える。
【００７８】
このように構成されたデータ受信装置２ｄは、ＲＦ回路２２ａ，２２ｂ及び直交検波回路２３ａ，２３ｂ及び直並列変換回路２４ａ，２４ｂ及びフーリエ変換回路２５ａ，２５ｂが第１の実施形態と同様の動作を行うとともに、サブキャリア選択復調回路２６ｄ内のチャネル推定回路２７ａ，２７ｂ及びチャネル補償回路２８ａ，２８ｂ及びデータ選択回路２９及びデマッピング回路３０及びデインターリーブ回路３１が第１の実施形態と同様の動作を行う。よって、アンテナ２１ａ，２１ｂで受信した高周波信号Ｓ１及び高周波信号Ｓ２がパラレルデータｄｐ１，ｄｐ２に変換された後、各サブキャリア毎に状態の良好なデータが選択されてパラレルデータｄｐｘが生成されるとともに、このパラレルデータｄｐｘに基づいてシリアルデータｄｓｘが生成される。
【００７９】
又、デマッピング回路３０ａには、チャネル補償回路２８ａで各サブキャリア毎にデータ補償されたパラレルデータｄｐ１が送出され、このパラレルデータｄｐ１に対して、各サブキャリア毎にデマッピングを施し、デインターリーブ回路３１ａに送出する。そして、デインターリーブ回路３１ａでは、デマッピング回路３０ａで復調されたパラレルデータｄｐ１に対してデインターリーブを施すことによって、シリアルデータｄｓ１を生成する。
【００８０】
更に、デマッピング回路３０ｂには、チャネル補償回路２８ｂで各サブキャリア毎にデータ補償されたパラレルデータｄｐ２が送出され、このパラレルデータｄｐ２に対して、各サブキャリア毎にデマッピングを施し、デインターリーブ回路３１ｂに送出する。そして、デインターリーブ回路３１ｂでは、デマッピング回路３０ｂで復調されたパラレルデータｄｐ２に対してデインターリーブを施すことによって、シリアルデータｄｓ２を生成する。
【００８１】
そして、デインターリーブ回路３１，３１ａ，３１ｂから出力されるシリアルデータｄｓｘ，ｄｓ１，ｄｓ２が選択スイッチＳＷの接点ａ，ｂ，ｃに入力される。このとき、入力部５１の操作に応じて制御信号が選択スイッチＳＷに与えられ、接点ｄと接続される接点ａ，ｂ，ｃが選択されるように制御される。即ち、２．４ＧＨｚ帯及び５．２ＧＨｚ帯の両周波数帯域を使用して通信が行われているとき、選択スイッチＳＷの接点ａが選択され、２．４ＧＨｚ帯の周波数帯域のみを使用して通信が行われているとき、選択スイッチＳＷの接点ｂが選択され、５．２ＧＨｚ帯の周波数帯域のみを使用して通信が行われているとき、選択スイッチＳＷの接点ｃが選択される。
【００８２】
よって、２．４ＧＨｚ帯及び５．２ＧＨｚ帯の両周波数帯域を使用して通信が行われているとき、選択スイッチＳＷを介してデインターリーブ回路３１からのシリアルデータｄｓｘがＭＡＣ部５０に出力され、２．４ＧＨｚ帯の周波数帯域のみを使用して通信が行われているとき、選択スイッチＳＷを介してデインターリーブ回路３１ａからのシリアルデータｄｓ１がＭＡＣ部５０に出力され、５．２ＧＨｚ帯の周波数帯域のみを使用して通信が行われているとき、選択スイッチＳＷを介してデインターリーブ回路３１ｂからのシリアルデータｄｓ２がＭＡＣ部５０に出力される。
【００８３】
本実施形態のような構成は、従来より使用されているＩＥＥＥ８０２．１１ａ方式とＩＥＥＥ８０２．１１ｂ方式とを選択可能なデータ受信装置に、データ選択回路２９及びデマッピング回路３０及びデインターリーブ回路３１を付加するとともに、各方式を選択するための選択用スイッチを３信号から１信号を選択する選択スイッチＳＷとすることによって構成することができる。よって、本実施形態におけるデータ受信装置は、このような複数の周波数帯域の信号を受信して復調することができる従来のデータ受信装置より容易に構成することができる。
【００８４】
尚、本実施形態において、選択スイッチＳＷがデインターリーブ回路３１，３１ａ，３１ｂからの信号を選択するものとしたが、図９のように、選択スイッチＳＷがデマッピング回路３０，３０ａ，３０ｂからの信号を選択するものとし、デインターリーブ回路３１を１つとするようにしても構わないし、図１０のように、選択スイッチＳＷをチャネル補償回路２８ａ，２８ｂ及びデータ選択回路２９からの信号を選択するものとし、デマッピング回路３０及びデインターリーブ回路３１をそれぞれ１つとするようにしても構わない。
【００８５】
＜第５の実施形態＞
本発明の第５の実施形態について、以下に図面を参照して説明する。図１１は、本実施形態の無線通信システムで使用されるデータ受信装置の内部構成を示すブロック図である。尚、図１１のデータ受信装置において、図８のデータ受信装置と同一の目的で使用する部分については同一の符号を付して、その詳細な説明は省略する。
【００８６】
図１１のデータ受信装置２ｅ（図１のデータ受信装置２に相当する）において、サブキャリア選択復調回路２６ｅ（図１のサブキャリア選択復調回路２６に相当する）は、サブキャリア選択復調回路２６ｄ（図８）の構成に、フーリエ変換回路２５ａ，２５ｂそれぞれから出力されるパラレルデータｄｐ１，ｄｐ２より受信電力などから２．４ＧＨｚ及び及び５．２ＧＨｚ帯それぞれの周波数帯域の受信状態を確認するキャリア検出回路３２ａ，３２ｂと、サブキャリア選択復調回路２６ｅ内の各ブロックのＯＮ／ＯＦＦを制御するＯＮ／ＯＦＦ制御回路３３とが付加された構成となる。又、データ受信装置２ｅには、入力部５１及び選択スイッチＳＷが省かれた構成となる。その他の構成については、第４の実施形態のデータ送信装置２ｄと同一のブロックを備える。
【００８７】
このように構成されたデータ受信装置２ｅは、キャリア検出回路３２ａにおいて、フーリエ変換回路２５ａからのパラレルデータｄｐ１が入力されると、各サブキャリア毎に受信電力などが確認されて、２．４ＧＨｚ帯の周波数帯域における受信状態が確認される。又、キャリア検出回路３２ｂにおいて、フーリエ変換回路２５ｂからのパラレルデータｄｐ２が入力されると、各サブキャリア毎に受信電力などが確認されて、５．２ＧＨｚ帯の周波数帯域における受信状態が確認される。
【００８８】
そして、キャリア検出回路３２ａ，３２ｂで確認された２．４ＧＨｚ帯及び５．２ＧＨｚ帯の受信状態がＯＮ／ＯＦＦ制御回路３３に通知される。そして、キャリア検出回路３２ａ，３２ｂにおいて、２．４ＧＨｚ帯及び５．２ＧＨｚ帯の受信状態がともに良好であることが確認されると、ＯＮ／ＯＦＦ制御回路３３によって、デマッピング回路３０ａ，３０ｂ及びデインターリーブ回路３１ａ，３１ｂがＯＦＦ制御されるとともに、チャネル推定回路２７ａ，２７ｂ及びチャネル補償回路２８ａ，２８ｂ及びデータ選択回路２９及びデマッピング回路３０及びデインターリーブ回路３１がＯＮ制御される。このように動作することで、デインターリーブ回路３１からのシリアルデータｄｓｘがＭＡＣ部５０に出力される。
【００８９】
又、キャリア検出回路３２ａ，３２ｂにおいて、２．４ＧＨｚ帯の受信状態が良好であるとともに５．２ＧＨｚ帯の受信状態が良好でないことが確認されると、ＯＮ／ＯＦＦ制御回路３３によって、チャネル推定回路２７ｂ及びチャネル補償回路２８ｂ及びデータ選択回路２９及びデマッピング回路３０，３０ｂ及びデインターリーブ回路３１，３１ｂがＯＦＦ制御されるとともに、チャネル推定回路２７ａ及びチャネル補償回路２８ａ及びデマッピング回路３０ａ及びデインターリーブ回路３１ａがＯＮ制御される。このように動作することで、デインターリーブ回路３１ａからのシリアルデータｄｓ１がＭＡＣ部５０に出力される。
【００９０】
又、キャリア検出回路３２ａ，３２ｂにおいて、２．４ＧＨｚ帯の受信状態が良好でないとともに５．２ＧＨｚ帯の受信状態が良好であることが確認されると、ＯＮ／ＯＦＦ制御回路３３によって、チャネル推定回路２７ａ及びチャネル補償回路２８ａ及びデータ選択回路２９及びデマッピング回路３０，３０ａ及びデインターリーブ回路３１，３１ａがＯＦＦ制御されるとともに、チャネル推定回路２７ｂ及びチャネル補償回路２８ｂ及びデマッピング回路３０ｂ及びデインターリーブ回路３１ｂがＯＮ制御される。このように動作することで、デインターリーブ回路３１ｂからのシリアルデータｄｓ２がＭＡＣ部５０に出力される。
【００９１】
本実施形態のように構成することで、各周波数帯域の受信状態に応じて動作させるブロックのＯＮ／ＯＦＦが制御され、不要となるブロックがＯＦＦとされるため、第５の実施形態と比べて、消費電力を抑制することができる。
【００９２】
尚、本実施形態において、図１２のように、デインターリーブ回路３１を１つとして、デマッピング回路３０，３０ａ，３０ｂからのパラレルデータｄｐｘ，ｄｐ１，ｄｐ２がデインターリーブ回路３１に与えられるようにしても構わないし、図１３のように、デマッピング回路３０及びデインターリーブ回路３１をそれぞれ１つとして、データ選択回路２９及びチャネル補償回路２８ａ，２８ｂからのパラレルデータｄｐｘ，ｄｐ１，ｄｐ２がデマッピング回路３０に与えられるようにしても構わない。
【００９３】
又、第５及び第６の実施形態において、サブキャリア選択復調回路２６ｄ，２６ｅが、データ選択回路２９の代わりに、第２の実施形態のように、データ合成回路２９ａを備えるものとしても構わない。又、上述の各実施形態では、２．４ＧＨｚ帯と５．２ＧＨｚ帯の２つの周波数帯域が搬送周波数帯域として使用されるものとしたが、この２つの周波数帯域に限定されるものでなく、３つ以上の周波数帯域が搬送周波数帯域として使用されるものとしても構わない。更に、データ受信装置において、各ＲＦ回路それぞれに対して複数のアンテナを備えたダイバーシティアンテナを設け、各ＲＦ回路ごとに、その受信状態が良好なアンテナに切り換えるようにしても構わない。
【００９４】
【発明の効果】
本発明によると、異なる搬送周波数帯域に同一のデータを備えたデータ信号を送信することができるため、当該複数のデータ信号を受信したとき、その搬送波周波数帯域の通信路状態が良好なデータ信号を選択することができる。又、当該複数のデータ信号を合成することによって、より良好な状態で受信したデータ信号に近い状態のデータ信号を得ることができる。又、ＯＦＤＭ方式において、サブチャネル毎に良好なデータを選択することができるため、特定の周波数帯域において影響を受けやすい周波数選択制フェージングによる影響を低減することができる。又、ＯＦＤＭ方式において、サブチャネル毎にデータを合成するため、特定の周波数帯域において影響を受けやすい周波数選択制フェージングによる影響を低減することができる。又、通信が行われていない周波数帯域のデータ信号を処理するブロックを停止させることによって、無線通信装置全体の消費電力を低減させることができる。
【図面の簡単な説明】
【図１】本発明の無線通信システムの構成を示すブロック図。
【図２】第１の実施形態のデータ受信装置の構成を示すブロック図。
【図３】データ補償回路の動作を示すための図。
【図４】データ選択回路の動作を示すための図。
【図５】第２の実施形態のデータ受信装置の構成を示すブロック図。
【図６】データ合成回路の動作を示すための図。
【図７】第３の実施形態のデータ受信装置の構成を示すブロック図。
【図８】第４の実施形態のデータ受信装置の構成を示すブロック図。
【図９】第４の実施形態のデータ受信装置の別の構成を示すブロック図。
【図１０】第４の実施形態のデータ受信装置の別の構成を示すブロック図。
【図１１】第５の実施形態のデータ受信装置の構成を示すブロック図。
【図１２】第５の実施形態のデータ受信装置の別の構成を示すブロック図。
【図１３】第５の実施形態のデータ受信装置の別の構成を示すブロック図。
【符号の説明】
１    データ送信装置
２    データ受信装置
１０    インターリーブ回路
１１    マッピング回路
１２    逆フーリエ変換回路
１３    並直列変換回路
１４    直交変調回路
１５ａ，１５ｂ    ＲＦ回路
１６ａ，１６ｂ    アンテナ
２１ａ，２１ｂ    アンテナ
２２ａ，２２ｂ    ＲＦ回路
２３ａ，２３ｂ    直交検波回路
２４ａ，２４ｂ    直並列変換回路
２５ａ，２５ｂ    フーリエ変換回路
２６    サブキャリア選択復調回路
２７ａ，２７ｂ    チャネル推定回路
２８ａ，２８ｂ    チャネル補償回路
２９    データ選択回路
２９ａ    データ合成回路
３０，３０ａ，３０ｂ    デマッピング回路
３１，３１ａ，３１ｂ    デインターリーブ回路
３２ａ，３２ｂ    キャリア検出回路
３３    ＯＮ／ＯＦＦ制御回路
【図１】
2004320342.tif 000003
【図２】
2004320342.tif 000004
【図３】
2004320342.tif 000005
【図４】
2004320342.tif 000006
【図５】
2004320342.tif 000007
【図６】
2004320342.tif 000008
【図７】
2004320342.tif 000009
【図８】
2004320342.tif 000010
【図９】
2004320342.tif 000011
【図１０】
2004320342.tif 000012
【図１１】
2004320342.tif 000013
【図１２】
2004320342.tif 000014
【図１３】
2004320342.tif 000015